(57)【特許請求の範囲】
【請求項１】
通信機能を有するとともに、顔画像から生成されて顔パーツの位置が特定されている似顔絵を取り扱う携帯端末であって、
上記顔画像はカメラで撮影されたものであるとともに、上記顔パーツの位置はそのカメラで撮影された顔画像から特定されたものであり、
さらに、どのような表情の似顔絵を生成するのかについて示す表情指定情報を取得する手段と、
上記取得した表情指定情報の指す似顔絵顔パーツを取得する手段と、
処理対象の似顔絵の持つ顔パーツを上記取得した似顔絵顔パーツと交換する手段とを備えることを、
特徴とする携帯端末。
【請求項２】
通信機能を有するとともに、顔画像から生成されて顔パーツの位置が特定されている似顔絵を取り扱う携帯端末であって、
上記顔画像はカメラで撮影されたものであるとともに、上記顔パーツの位置はそのカメラで撮影された顔画像から特定されたものであり、
さらに、どのような表情の似顔絵を生成するのかについて示す表情指定情報を取得する手段と、
上記取得した表情指定情報の指す似顔絵顔パーツを取得する手段と、
上記取得した似顔絵顔パーツを似顔絵出力先の携帯端末に送信する手段とを備えることを、
特徴とする携帯端末。
【請求項３】
通信機能を有するとともに、顔画像から生成されて顔パーツの位置が特定されている似顔絵を取り扱う携帯端末であって、
上記顔画像はカメラで撮影されたものであるとともに、上記顔パーツの位置はそのカメラで撮影された顔画像から特定されたものであり、
さらに、他の携帯端末から送信されてくる似顔絵顔パーツを受信する手段と、
処理対象の似顔絵の持つ顔パーツを上記受信した似顔絵顔パーツと交換する手段とを備えることを、
特徴とする携帯端末。
【請求項４】
請求項１に記載の携帯端末において、
上記顔パーツの位置が特定されている似顔絵の中から、合成対象となる複数の似顔絵を決定する手段と、
上記決定した合成対象の似顔絵の合成方法について示す合成情報を取得する手段と、
上記取得した合成情報に従って、上記決定した合成対象の似顔絵を合成する手段とを備えることを、
特徴とする携帯端末。
【請求項５】
請求項１に記載の携帯端末において、
上記顔パーツの位置が特定されている似顔絵の中から、比較対象となる複数の似顔絵を決定する手段と、
上記決定した似顔絵の持つ顔パーツの位置情報に従って、比較対象となる似顔絵の間の類似度を算出する手段と、
上記算出した類似度を出力するか、該類似度により特定される似顔絵本人の間の関係を得てそれを出力する手段とを備えることを、
特徴とする携帯端末。
【請求項６】
通信機能を有するとともに、顔画像から生成されて顔パーツの位置が特定されている似顔絵を取り扱う機能を有し、かつ、その顔画像はカメラで撮影されたものであるとともに、その顔パーツの位置はその撮影された顔画像から特定されたものであるという似顔絵を取り扱う機能を有する携帯端末の実現に用いられる携帯端末処理用プログラムであって、
どのような表情の似顔絵を生成するのかについて示す表情指定情報を取得する手順と、
上記取得した表情指定情報の指す似顔絵顔パーツを取得する手順と、
処理対象の似顔絵の持つ顔パーツを上記取得した似顔絵顔パーツと交換する手順とを携帯端末に実行させるための携帯端末処理用プログラム。
【請求項７】
顔画像から生成されて顔パーツの位置が特定されている似顔絵を取り扱う送信側携帯端末と受信側携帯端末とで構成される携帯端末システムであって、
上記顔画像はカメラで撮影されたものであるとともに、上記顔パーツの位置はそのカメラで撮影された顔画像から特定されたものであり、
上記送信側携帯端末は、
どのような表情の似顔絵を生成するのかについて示す表情指定情報を取得する手段と、
上記取得した表情指定情報の指す似顔絵顔パーツを取得する手段と、
上記取得した似顔絵顔パーツを似顔絵出力先の携帯端末に送信する手段とを備え、
上記受信側端末は、
他の携帯端末から送信されてくる似顔絵顔パーツを受信する手段と、
処理対象の似顔絵の持つ顔パーツを上記受信した似顔絵顔パーツと交換する手段とを備えることを、
特徴とする携帯端末システム。
【発明の詳細な説明】
【０００１】
【発明の属する技術分野】
本発明は、ユーザ間に高度なコミュニケーションを実現する携帯端末と、その携帯端末の実現に用いられる携帯端末処理用プログラムと、それらの携帯端末で構成される携帯端末システムとに関する。
【０００２】
最近、カメラ付きの携帯電話が市場に提供されつつある。このような携帯電話では、従来の携帯電話では実現できなかった高度なコミュニケーションを実現できる可能性があり、そのような技術が構築されると、携帯電話の更なる普及が期待できる。
【０００３】
【従来の技術】
カメラ付きの携帯電話が市場に提供されつつある。
【０００４】
これまでに市場に投入されたカメラ付きの携帯電話では、撮影した顔画像などのような画像をメール添付などの手段を用いて相手方の携帯電話に送信したり、撮影した顔画像などのような画像を縮小したり一部を切り出して待受画像（待受画面に表示する画像）として用いたりするようなことを行っている。
【０００５】
【発明が解決しようとする課題】
しかしながら、このような従来の携帯電話を用いていたのでは、ユーザ間に高度なコミュニケーションを実現できないという問題点がある。
【０００６】
確かに、撮影した顔画像をメール添付などの手段を用いて相手方の携帯電話に送信するようにすると、自分の表情を相手方に伝えることができるようになることで、ユーザ間に新たなコミュニケーションを実現できるようになる。
【０００７】
しかしながら、撮影した顔画像のデータ量は通常の場合８ＫＢ程度であり、携帯電話の貧弱な回線にとっては非常に大きなものであることから、リアルタイム性が要求されるコミュニケーションについては実現できないという問題点がある。
【０００８】
しかも、そのような大きなデータ量の顔画像を送信すると、メールサーバに大きな負担をかけることになることから、携帯電話会社によっては送信を禁止しているようなところもあり、そのような場合には、顔画像を使ったコミュニケーションについては全く実現できないという問題点がある。
【０００９】
また、撮影した顔画像を待受画像として用いるような従来技術では、従来から行われているイラストや顔写真画像の待受画像化との差がなく、携帯電話にカメラが付いたことを活かした構成になっていないという問題点がある。
【００１０】
本発明はかかる事情に鑑みてなされたものであって、顔画像から生成されて顔パーツの位置が特定されている似顔絵を使って、ユーザ間に高度なコミュニケーションを実現できるようにする新たな携帯端末技術の提供を目的とする。
【００１１】
【課題を解決するための手段】
（イ）似顔絵の変更機能を使ってユーザ間のコミュニケーションを実現する構成
この目的を達成するために、本発明の携帯端末では、通信機能を有するときに、顔画像から生成されて顔パーツの位置が特定されている似顔絵を取り扱うようにする構成を採って、受信側として動作したり、送信側として動作するときに、どのような表情の似顔絵を生成するのかについて示す表情指定情報を取得する手段と、その取得した表情指定情報の指す似顔絵顔パーツを取得する手段と、処理対象の似顔絵の持つ顔パーツを、その取得した似顔絵顔パーツと交換する手段とを備えるように構成する。
この構成を採るときに、本発明の携帯端末は、カメラで撮影された顔画像から生成された似顔絵を取り扱うようにするとともに、その撮影された顔画像から顔パーツの位置が特定された似顔絵を取り扱うようにする構成を採る。
このように構成される本発明の携帯端末の機能はコンピュータプログラムでも実現できるものであり、このコンピュータプログラムは、この機能を実現するために、どのような表情の似顔絵を生成するのかについて示す表情指定情報を取得する手順と、取得した表情指定情報の指す似顔絵顔パーツを取得する手順と、処理対象の似顔絵の持つ顔パーツを取得した似顔絵顔パーツと交換する手順とを携帯端末に実行させるようにする。
【００１２】
また、この目的を達成するために、本発明の携帯端末では、通信機能を有するときに、顔画像から生成されて顔パーツの位置が特定されている似顔絵を取り扱うようにする構成を採って、（１）送信側として動作するときに、どのような表情の似顔絵を生成するのかについて示す表情指定情報を取得する手段と、その取得した表情指定情報の指す似顔絵顔パーツを取得する手段と、その取得した似顔絵顔パーツを、似顔絵出力先の携帯端末に送信する手段とを備えるように構成し、この送信側の構成を受けて、（２）受信側として動作するときに、他の携帯端末から送信されてくる似顔絵顔パーツを受信する手段と、処理対象の似顔絵の持つ顔パーツを、その受信した似顔絵顔パーツと交換する手段とを備えるように構成する。
この構成を採るときに、本発明の携帯端末は、カメラで撮影された顔画像から生成された似顔絵を取り扱うようにするとともに、その撮影された顔画像から顔パーツの位置が特定された似顔絵を取り扱うようにする構成を採る。
【００１３】
このように構成される本発明の携帯端末では、どのような表情の似顔絵を生成するのかについて示す表情指定情報を取得すると、予め用意してある似顔絵顔パーツの中から、その取得した表情指定情報の指す似顔絵顔パーツを取得して、処理対象の似顔絵の持つ顔パーツを、その取得した似顔絵顔パーツと交換することで、処理対象の似顔絵の表情を変更するように処理する。
【００１４】
この機能を持つことで、本発明の携帯端末によれば、受信側として動作するときに、例えば、何回の着信にも応答しない着呼側のユーザに対して、発呼側のユーザの怒りの表情を伝達できるようになったり、送信側として動作するときに、例えば、メールの送信先のユーザに対して、メール送信側のユーザの笑顔の表情を伝達できるようになる。
【００１５】
このようにして、本発明の携帯端末によれば、顔画像から生成されたデータ量の削減された似顔絵を使いつつ、その似顔絵の表情を変化できるようにする構成を採ることで、ユーザ間に高度なコミュニケーションを実現できるようになる。
【００１６】
（ロ）似顔絵の合成機能を使ってユーザ間のコミュニケーションを実現する構成
この目的を達成するために、本発明の携帯端末では、顔画像から生成されて顔パーツの位置が特定されている似顔絵を取り扱うようにする構成を採って、合成対象となる複数の似顔絵を決定する手段と、その決定した合成対象の似顔絵の合成方法について示す合成情報を取得する手段と、その取得した合成情報に従って、決定した合成対象の似顔絵を合成する手段とを備えるように構成する。
この構成を採るときに、本発明の携帯端末は、カメラで撮影された顔画像から生成された似顔絵を取り扱うようにするとともに、その撮影された顔画像から顔パーツの位置が特定された似顔絵を取り扱うようにする構成を採る。
【００１７】
このように構成される本発明の携帯端末では、合成対象となる複数の似顔絵を決定すると、例えば、目と口については似顔絵Ａのものを選択し、輪郭と鼻については似顔絵Ｂのものを選択するというように、その決定した合成対象の似顔絵の合成方法について示す合成情報を取得して、その取得した合成情報に従って、決定した合成対象の似顔絵を合成するように処理する。
【００１８】
この機能を持つことで、本発明の携帯端末によれば、顔画像から生成されたデータ量の削減された似顔絵を使いつつ、例えば、ＡさんとＢさんとの間に生まれる子供の顔を生成できるようなことを行えることで、ユーザ間に高度なコミュニケーションを実現できるようになる。
【００１９】
（ハ）似顔絵を使った関係推測機能を使ってユーザ間のコミュニケーションを実現する構成
この目的を達成するために、本発明の携帯端末では、顔画像から生成された顔パーツの位置が特定されている似顔絵を取り扱うようにする構成を採って、比較対象となる複数の似顔絵を決定する手段と、その決定した似顔絵の持つ顔パーツの位置情報に従って、比較対象となる似顔絵の間の類似度を算出する手段と、その算出した類似度を出力するか、その類似度により特定される似顔絵本人の間の関係を得てそれを出力する手段とを備えるように構成する。
この構成を採るときに、本発明の携帯端末は、カメラで撮影された顔画像から生成された似顔絵を取り扱うようにするとともに、その撮影された顔画像から顔パーツの位置が特定された似顔絵を取り扱うようにする構成を採る。
【００２０】
このように構成される本発明の携帯端末では、比較対象となる複数の似顔絵を決定すると、その決定した似顔絵の持つ顔パーツの位置情報に従って、比較対象となる似顔絵の間の類似度を算出して、その算出した類似度に従って、例えば、親子レベルで似ているとか、兄弟レベルで似ているとかいうような似顔絵本人の間の関係を得てそれを出力するように処理する。
【００２１】
この機能を持つことで、本発明の携帯端末によれば、顔画像から生成されたデータ量の削減された似顔絵を使いつつ、例えば、ＡさんとＢさんとの間の関係を推測できるようなことを行えることで、ユーザ間に高度なコミュニケーションを実現できるようになる。
【００２２】
【発明の実施の形態】
以下、携帯電話に適用した実施形態例に従って本発明を詳細に説明する。
【００２３】
図１に、本発明の携帯電話１の装置構成を図示する。
【００２４】
この図に示すように、本発明の携帯電話１は、装置構成的には、カメラ１０と、ディスプレイ１１と、マイク１２と、スピーカ１３と、ハードウェア及びソフトウェアで構成される画像処理機構１４と、ハードウェア及びソフトウェアで構成される音声処理機構１５と、ハードウェア及びソフトウェアで構成される相互通信機構１６と、アンテナ１７とを備える。
【００２５】
この画像処理機構１４は、図中に示すように、似顔絵作成機能を有している。この似顔絵作成機能は、カメラ１０の撮影した顔画像を入力として、例えば、その顔画像を２値化して縦軸と横軸とに射影し、その射影画像及びその動きから、
▲１▼顔全体の位置情報（どの位置にどのような大きさを有して顔の輪郭が存在しているのかを示す位置情報）と、▲２▼顔パーツ（目、鼻、口、髪など）の位置情報（どの位置にどのような大きさを有してその顔パーツが存在しているのかを示す位置情報）と、▲３▼顔全体の色と、▲４▼髪の色とを抽出することで、図２に示すように、顔パーツの位置が特定されている似顔絵（顔全体の色や髪の色は１つの色に統一されている）を作成するように処理する。
【００２６】
ここで、このとき作成する似顔絵は、必要に応じて規定の大きさに正規化されることになる。なお、このような射影画像を使うのではなくて、別のアルゴリズムに従って、顔パーツの位置が特定されている似顔絵を作成するようにしてもよい。
【００２７】
このようにして、本発明の携帯電話１では、カメラ１０により撮影される顔画像を使ってユーザ間のコミュニケーションを実現するのではなくて、その顔画像から作成される似顔絵を使ってユーザ間のコミュニケーションを実現するように処理するのである。
【００２８】
これから、顔画像を使ってユーザ間のコミュニケーションの実現を図る場合に比べて、極めて少ないハードウェア量で、しかも極めて高速に、ユーザ間のコミュニケーションの実現を図れるようになる。
【００２９】
（イ）似顔絵の変更機能を使ってユーザ間のコミュニケーションを実現する一実施形態例
図３に、似顔絵の変更機能を使ってユーザ間のコミュニケーションを実現する一実施形態例を図示する。
【００３０】
図中、２０は送信側携帯電話、３０は受信側携帯電話、４０はメールサーバである。
【００３１】
この実施形態例に従う場合、送信側携帯電話２０は、カメラ１０の撮影する顔画像から上述のアルゴリズムに従って似顔絵（属性情報も含む）を作成する似顔絵作成部２１と、似顔絵作成部２１の作成した似顔絵の情報をメールサーバ４０を介して受信側携帯電話３０にダウンロードする似顔絵送信部２２と、受信側携帯電話３０に対して発呼する発呼部２３とを備える。
【００３２】
一方、この実施形態例に従う場合、受信側携帯電話３０は、メールサーバ４０からダウンロードされる似顔絵の情報を受信する似顔絵受信部３１と、ダウンロードされた似顔絵の情報を保存する似顔絵保存部３２と、似顔絵の表情を変えるために用意される似顔絵の顔パーツを保存する顔パーツ保存部３３と、送信側携帯電話２０からの着信履歴を保存する着信履歴保存部３４と、どのような表情の似顔絵に変更するのかについて指示する表情指定情報を保存する表情指定情報保存部３５と、似顔絵保存部３２の保存する似顔絵を変更する似顔絵変更部３６と、似顔絵変更部３６の変更した似顔絵をディスプレイ１１に出力する似顔絵出力部３７と、送信側携帯電話２０からの発呼を着呼する着呼部３８とを備える。
【００３３】
ここで、本発明を実現すべく用意される送信側携帯電話２０及び受信側携帯電話３０の持つ機能は、具体的にコンピュータプログラムを実現されるものであり、このコンピュータプログラムは、半導体メモリなどの記録媒体に記録して提供することができる。
【００３４】
この似顔絵保存部３２は、図４に示すように、ダウンロード元となる送信側携帯電話２０の電話番号と対応をとりつつ、ダウンロードされた似顔絵（好ましくは規定の大きさに正規化されている）と、その似顔絵の属性情報（顔全体の位置や顔パーツの位置や顔全体の色や髪の色）とを保存するという構成を採る。
【００３５】
また、顔パーツ保存部３３は、図５に示すように、「小さな怒りの表情」とか「大きな怒りの表情」とか「ビックリしたときの表情」とかいったようなことについて記述する表情指定情報と対応をとりつつ、その表情指定情報の記述する表情を実現するための顔パーツ（但し、顔全体については保存しない）を保存するという構成を採る。
【００３６】
すなわち、怒りの表情の場合には目がつり上がるとともに、口がへの字に変形するので、「怒り」について記述する表情指定情報に対応付けて、標準の表情のときよりもつり上がった目のパーツを保存するとともに、標準の表情のときよりもへの字に変形した口のパーツを保存するという構成を採るのである。
【００３７】
ここで、顔パーツ保存部３３に保存される顔パーツについては、正規化された似顔絵の大きさに合わせた大きさを有している。そして、メールサーバ４０からダウンロードされる似顔絵に共通なものとして使われることになるので、メールサーバ４０などを介して予めダウンロードしておくという構成を採っている。
【００３８】
着信履歴保存部３４は、図６に示すように、発呼元となる送信側携帯電話２０の電話番号と対応をとりつつ、発呼の着信時刻と、そのとき不在であったのか、それとも応答したのかいうことについて示す情報とからなる着信履歴情報を保存するという構成を採る。
【００３９】
表情指定情報保存部３５は、図７に示すように、着呼の際に不在であった回数と対応をとりつつ、それに対応付けられる表情指定情報を保存するという構成を採ることで、着呼の際に不在であった回数に対応付けて、そのときに出力する似顔絵の表情がどのようなものであるのかということについて示す情報を保存するという構成を採る。
【００４０】
図８及び図９に、本発明を実現すべく受信側携帯電話３０が実行する処理フローの一実施形態例を図示する。
【００４１】
次に、この処理フローに従って、図３のように構成される実施形態例の処理について説明する。
【００４２】
受信側携帯電話３０は、メールサーバ４０を介して送信側携帯電話２０から、その送信側携帯電話２０を所有するユーザの似顔絵のダウンロード要求が発行されると、図８の処理フローに示すように、先ず最初に、ステップ１で、メールサーバ４０から、ダウンロード対象の似顔絵と、その似顔絵の属性情報（顔全体の位置や顔パーツの位置や顔全体の色や髪の色）とを取得する。
【００４３】
続いて、ステップ２で、メールサーバ４０から、その取得した似顔絵の情報のダウンロード元となる送信側携帯電話２０の電話番号を取得し、続くステップ３で、その取得した電話番号と対応をとりつつ、その取得した似顔絵の情報を似顔絵保存部３２に登録する。
【００４４】
このようにして、受信側携帯電話３０は、メールサーバ４０を介して送信側携帯電話２０から、その送信側携帯電話２０を所有するユーザの似顔絵のダウンロード要求が発行されると、似顔絵保存部３２に対して、ダウンロード元となる送信側携帯電話２０の電話番号と対応をとりつつ、ダウンロードされる似顔絵と、その似顔絵の属性情報とを登録するように処理するのである。
【００４５】
一方、受信側携帯電話３０は、送信側携帯電話２０からの発呼を着呼すると、図９の処理フローに示すように、先ず最初に、ステップ１で、発呼元となる送信側携帯電話２０の電話番号を取得する。
【００４６】
続いて、ステップ２で、その取得した電話番号をキーにして似顔絵保存部３２を参照することで、その取得した電話番号の指す似顔絵と、その似顔絵の属性情報とを取得する。すなわち、発呼元となる送信側携帯電話２０を所有するユーザの似顔絵の情報を取得するのである。
【００４７】
続いて、ステップ３で、取得した電話番号をキーにして着信履歴保存部３４を参照することで、その取得した電話番号の指す着信履歴を取得し、それに従って、例えば２時間といった規定の時間内における不在回数が何回であったのかを取得する。すなわち、電話をかけたのに不在であった回数を取得するのである。
【００４８】
続いて、ステップ４で、その取得した不在回数をキーにして表情指定情報保存部３５を参照することで、その取得した不在回数の指す表情指定情報を取得する。
【００４９】
表情指定情報保存部３５には、例えば、不在回数が１回であるときには「小さな笑顔の表情」、不在回数が２回〜５回であるときには「小さな怒りの表情」、不在回数が６回以上であるときには「大きな怒りの表情」というように、不在回数とそれに対応付けられる表情指定情報との対応関係が保存されているので、その対応関係を参照することで、取得した不在回数の指す表情指定情報を取得するのである。
【００５０】
続いて、ステップ５で、その取得した表情指定情報をキーにして顔パーツ保存部３３を参照することで、その取得した表情指定情報の指す顔パーツを取得する。
【００５１】
顔パーツ保存部３３には、「小さな笑顔の表情」を実現するための顔パーツ、「小さな怒りの表情」を実現するための顔パーツ、「大きな怒りの表情」を実現するための顔パーツというように、表情指定情報に対応付けて、その表情指定情報の記述する表情を実現するための顔パーツが保存されているので、その対応関係を参照することで、取得した表情指定情報の記述する表情を実現するための顔パーツを取得するのである。
【００５２】
続いて、ステップ６で、ステップ２で取得した似顔絵の持つ顔パーツを、その取得した顔パーツと交換することで、ディスプレイ１１に出力する似顔絵を作成する。
【００５３】
すなわち、ステップ２で取得した似顔絵の持つ顔パーツの位置については、似顔絵保存部３２から取得できるので、図１０に示すように、その位置に、取得した顔パーツを貼り付けることで、ディスプレイ１１に出力する似顔絵を作成するのである。
【００５４】
続いて、ステップ７で、その作成した似顔絵をディスプレイ１１に出力して処理を終了する。
【００５５】
このようにして、受信側携帯電話３０は、送信側携帯電話２０からの発呼を着呼すると、これまでに不在であった回数に応じて、発呼元のユーザの似顔絵を変更しつつディスプレイ１１に出力するように処理するのである。
【００５６】
この似顔絵の出力を受けて、受信側携帯電話３０のユーザは、発呼元のユーザの感情を知ることができるようになり、これにより、ユーザ間に高度のコミュニケーションを実現できるようになる。
【００５７】
図１１に、似顔絵の変更機能を使ってユーザ間のコミュニケーションを実現する他の実施形態例を図示する。
【００５８】
図３に示す実施形態例では、着呼の際に、受信側携帯電話３０が予め取得してある発呼元のユーザの似顔絵をそれまでの不在回数に応じて変更して出力するという構成を採ったが、この図１１に示す実施形態例では、送信側携帯電話２０から受信側携帯電話３０へ送信するメールに添付される似顔絵を、受信側携帯電話３０が送信側携帯電話２０のユーザの指定する表情指定情報に応じて変更させるという構成を採っている。
【００５９】
この実施形態例に従う場合、送信側携帯電話２０は、カメラ１０の撮影する顔画像から上述のアルゴリズムに従って似顔絵を作成する似顔絵作成部２１と、似顔絵作成部２１の作成した似顔絵の情報を保存する似顔絵保存部２４と、似顔絵保存部２４の保存する似顔絵を添付しつつメールを作成するメール作成部２５と、メール作成部２５の作成したメールをメールサーバ４０を介して受信側携帯電話３０に送信するメール送信部２６と、ユーザと対話することで上述の表情指定情報を取得する表情指定情報取得部２７と、表情指定情報取得部２７の取得した表情指定情報を着信信号に埋め込みつつ、受信側携帯電話３０に対してメール着信を発呼する発呼部２３とを備える。
【００６０】
一方、この実施形態例に従う場合、受信側携帯電話３０は、メールサーバ４０を介して送信されてくるメールを受信するメール受信部３９と、似顔絵の表情を変えるために用意される似顔絵の顔パーツを保存する顔パーツ保存部３３と、メール受信部３９の受信したメールに添付される似顔絵を変更する似顔絵変更部３６と、似顔絵変更部３６の変更した似顔絵をディスプレイ１１に出力する似顔絵出力部３７と、送信側携帯電話２０からのメール着信を知らせる発呼を着呼するとともに、その着信信号に埋め込まれる表情指定情報を抽出して似顔絵変更部３６に通知する着呼部３８とを備える。
【００６１】
ここで、本発明を実現すべく用意される送信側携帯電話２０及び受信側携帯電話３０の持つ機能は、具体的にコンピュータプログラムを実現されるものであり、このコンピュータプログラムは、半導体メモリなどの記録媒体に記録して提供することができる。
【００６２】
図１２に、本発明を実現すべく送信側携帯電話２０が実行する処理フローの一実施形態例を図示し、図１３に、本発明を実現すべく受信側携帯電話３０が実行する処理フローの一実施形態例を図示する。
【００６３】
次に、この処理フローに従って、図１１のように構成される実施形態例の処理について説明する。
【００６４】
送信側携帯電話２０は、ユーザからメールの送信要求が発行されると、図１２の処理フローに示すように、先ず最初に、ステップ１で、似顔絵保存部２４からそのユーザの似顔絵を読み出し、それを添付する形でメールを作成する。
【００６５】
続いて、ステップ２で、ユーザと対話することで、メールに添付する似顔絵に対しての表情指定情報（上述したように、どのような表情の似顔絵に変更するのかについて記述することになる）を取得する。
【００６６】
続いて、ステップ３で、作成したメールを、それに添付する似顔絵の属性情報（顔全体の位置や顔パーツの位置や顔全体の色や髪の色）とともに、メールサーバ４０に送信する。例えば、似顔絵の属性情報をメールのヘッダに埋め込むことなどにより、添付する似顔絵の属性情報をメールとともにメールサーバ４０に送信するのである。
【００６７】
続いて、ステップ４で、メール送信先となる受信側携帯電話３０に対して、メールの着信を通知するとともに、そのとき、取得した表情指定情報を着信信号のヘッダに埋め込むことなどによりメール送信先となる受信側携帯電話３０に通知する。
【００６８】
このようにして、送信側携帯電話２０は、ユーザからメールの送信要求が発行されると、そのユーザの似顔絵を添付する形でメールを作成して、似顔絵の属性情報とともにメールサーバ４０に送信するとともに、対話処理に従って表情指定情報を取得して、それを着信信号に埋め込むことなどによりメール送信先となる受信側携帯電話３０に通知するように処理するのである。
【００６９】
一方、受信側携帯電話３０は、送信側携帯電話２０からメールの送信を知らせる発呼を着呼すると、図１３の処理フローに示すように、先ず最初に、ステップ１で、着信信号に埋め込まれているメール送信元となる送信側携帯電話２０の指定する表情指定情報を取得する。
【００７０】
続いて、ステップ２で、メールサーバ４０から、着信したメール（似顔絵が添付されている）を受信し、続くステップ３で、取得した表情指定情報をキーにして顔パーツ保存部３３を参照することで、その取得した表情指定情報の指す顔パーツを取得する。
【００７１】
続いて、ステップ４で、受信したメールに添付される似顔絵の持つ顔パーツを、その取得した顔パーツと交換することで、ディスプレイ１１に出力する似顔絵を作成する。
【００７２】
すなわち、メールに添付される似顔絵の持つ顔パーツの位置については、メールのヘッダなどを使って通知されてくるので、図１０に示すように、その位置に、取得した顔パーツを貼り付けることで、ディスプレイ１１に出力する似顔絵を作成するのである。
【００７３】
続いて、ステップ５で、その作成した似顔絵をディスプレイ１１に出力して処理を終了する。
【００７４】
このようにして、受信側携帯電話３０は、送信側携帯電話２０からメール着信の発呼を着呼すると、送信側携帯電話２０から指定される表情指定情報に応じて、メールに添付されるメール送信元のユーザの似顔絵を変更しつつディスプレイ１１に出力するように処理するのである。
【００７５】
この似顔絵の出力を受けて、受信側携帯電話３０のユーザは、メール送信元のユーザの感情を知ることができるようになり、これにより、ユーザ間に高度のコミュニケーションを実現できるようになる。
【００７６】
ここで、送信側携帯電話２０は、取得した表情指定情報を着信信号に埋め込むことで受信側携帯電話３０に通知することで説明したが、似顔絵の属性情報のように、メールのヘッダなどに埋め込むことで受信側携帯電話３０に通知するようにしてもよい。
【００７７】
図１４に、似顔絵の変更機能を使ってユーザ間のコミュニケーションを実現する他の実施形態例を図示する。
【００７８】
図１１に示す実施形態例では、受信側携帯電話３０の側で送信側携帯電話２０のユーザの似顔絵を変更するという構成を採ったが、この図１４に示す実施形態例では、送信側携帯電話２０の側で送信側携帯電話２０のユーザの似顔絵を変更して、それをメールに添付して受信側携帯電話３０に送信するという構成を採っている。
【００７９】
この実施形態例に従う場合、送信側携帯電話２０は、カメラ１０の撮影する顔画像から上述のアルゴリズムに従って似顔絵を作成する似顔絵作成部２１と、似顔絵作成部２１の作成した似顔絵の情報を保存する似顔絵保存部２４と、似顔絵の表情を変えるために用意される似顔絵の顔パーツを保存する顔パーツ保存部２８と、ユーザと対話することで上述の表情指定情報を取得する表情指定情報取得部２７と、似顔絵作成部２１に保存される似顔絵を変更する似顔絵変更部２９と、似顔絵変更部２９の変更した似顔絵を添付しつつメールを作成するメール作成部２５と、メール作成部２５の作成したメールをメールサーバ４０を介して受信側携帯電話３０に送信するメール送信部２６と、受信側携帯電話３０に対してメール着信を発呼する発呼部２３とを備える。
【００８０】
一方、この実施形態例に従う場合、受信側携帯電話３０は、メールサーバ４０を介して送信されてくるメールを受信するメール受信部３９と、メール受信部３９の受信したメールに添付される似顔絵をディスプレイ１１に出力する似顔絵出力部３７と、送信側携帯電話２０からのメール着信を知らせる発呼を着呼する着呼部３８とを備える。
【００８１】
ここで、本発明を実現すべく用意される送信側携帯電話２０及び受信側携帯電話３０の持つ機能は、具体的にコンピュータプログラムを実現されるものであり、このコンピュータプログラムは、半導体メモリなどの記録媒体に記録して提供することができる。
【００８２】
図１５に、本発明を実現すべく送信側携帯電話２０が実行する処理フローの一実施形態例を図示する。
【００８３】
次に、この処理フローに従って、図１４のように構成される実施形態例の処理について説明する。
【００８４】
送信側携帯電話２０は、ユーザからメールの送信要求が発行されると、図１５の処理フローに示すように、先ず最初に、ステップ１で、似顔絵保存部２４からそのユーザの似顔絵を読み出す。
【００８５】
続いて、ステップ２で、ユーザと対話することで、その読み出した似顔絵に対しての表情指定情報（上述したように、どのような表情の似顔絵に変更するのかについて記述することになる）を取得する。
【００８６】
続いて、ステップ３で、その取得した表情指定情報をキーにして顔パーツ保存部２８を参照することで、その取得した表情指定情報の指す顔パーツを取得する。続いて、ステップ４で、読み出した似顔絵の持つ顔パーツを、その取得した顔パーツと交換することで、読み出した似顔絵を変更する。
【００８７】
続いて、ステップ５で、その変更した似顔絵を添付する形でメールを作成し、続くステップ６で、作成したメールをメールサーバ４０に送信する。このとき、送信側携帯電話２０の側で似顔絵を変更してしまっているので、メールサーバ４０に対しては似顔絵の属性情報については送信する必要はない。
【００８８】
続いて、ステップ７で、メール送信先となる受信側携帯電話３０に対して、メールの着信を通知して処理を終了する。
【００８９】
このメールの送信を受けて、受信側携帯電話３０は、メールサーバ４０から、着信したメール（表情の変更された似顔絵が添付されている）を受信して、ディスプレイ１１に出力する。
【００９０】
この似顔絵の出力を受けて、受信側携帯電話３０のユーザは、メール送信元のユーザの感情を知ることができるようになり、これにより、ユーザ間に高度のコミュニケーションを実現できるようになる。
【００９１】
図１６に、似顔絵の変更機能を使ってユーザ間のコミュニケーションを実現する他の実施形態例を図示する。
【００９２】
図３に示す実施形態例では、受信側携帯電話３０の側に顔パーツ保存部３３を備えることで、受信側携帯電話３０の側で送信側携帯電話２０のユーザの似顔絵を変更するという構成を採ったが、この図１６に示す実施形態例では、送信側携帯電話２０の側に顔パーツ保存部２８を備えて、その顔パーツ保存部２８から読み出した顔パーツを受信側携帯電話３０に送信することで、受信側携帯電話３０の側で送信側携帯電話２０のユーザの似顔絵を変更するという構成を採っている。
【００９３】
この実施形態例に従う場合、送信側携帯電話２０は、似顔絵の表情を変えるために用意される似顔絵の顔パーツを保存する顔パーツ保存部２８と、ユーザと対話することで上述の表情指定情報を取得する表情指定情報取得部２７と、顔パーツ保存部２８から読み出した顔パーツを添付しつつメールを作成するメール作成部２５と、メール作成部２５の作成したメールをメールサーバ４０を介して受信側携帯電話３０に送信するメール送信部２６と、受信側携帯電話３０に対してメール着信を発呼する発呼部２３とを備える。
【００９４】
一方、この実施形態例に従う場合、受信側携帯電話３０は、メールサーバ４０を介して送信されてくるメールを受信するメール受信部３９と、メールサーバ４０を介して送信側携帯電話２０からダウンロードされた似顔絵の情報を保存する似顔絵保存部３２と、似顔絵保存部３２の保存する似顔絵を変更する似顔絵変更部３６と、似顔絵変更部３６の変更した似顔絵をディスプレイ１１に出力する似顔絵出力部３７と、送信側携帯電話２０からのメール着信を知らせる発呼を着呼する着呼部３８とを備える。
【００９５】
ここで、本発明を実現すべく用意される送信側携帯電話２０及び受信側携帯電話３０の持つ機能は、具体的にコンピュータプログラムを実現されるものであり、このコンピュータプログラムは、半導体メモリなどの記録媒体に記録して提供することができる。
【００９６】
図１７に、本発明を実現すべく送信側携帯電話２０が実行する処理フローの一実施形態例を図示し、図１８に、本発明を実現すべく受信側携帯電話３０が実行する処理フローの一実施形態例を図示する。
【００９７】
次に、この処理フローに従って、図１６のように構成される実施形態例の処理について説明する。
【００９８】
送信側携帯電話２０は、ユーザからメールの送信要求が発行されると、図１７の処理フローに示すように、先ず最初に、ステップ１で、ユーザと対話することで、受信側携帯電話３０の側で出力する似顔絵に対しての表情指定情報（上述したように、どのような表情の似顔絵に変更するのかについて記述することになる）を取得する。
【００９９】
続いて、ステップ２で、その取得した表情指定情報をキーにして顔パーツ保存部２８を参照することで、その取得した表情指定情報の指す顔パーツを取得する。
【０１００】
続いて、ステップ３で、その取得した顔パーツを添付する形でメールを作成し、続くステップ４で、その作成したメールをメールサーバ４０に送信する。
【０１０１】
続いて、ステップ５で、メール送信先となる受信側携帯電話３０に対して、メールの着信を通知して処理を終了する。
【０１０２】
このようにして、送信側携帯電話２０は、ユーザからメールの送信要求が発行されると、ユーザから表情指定情報を取得して、それが指す顔パーツを取得し、その取得した顔パーツを添付する形でメールを作成して、メールサーバ４０に送信するように処理するのである。
【０１０３】
一方、受信側携帯電話３０は、送信側携帯電話２０からメールの送信を知らせる発呼を着呼すると、図１８の処理フローに示すように、先ず最初に、ステップ１で、メールサーバ４０から、着信したメール（顔パーツが添付されている）を受信する。
【０１０４】
続いて、ステップ２で、その受信したメールから、添付されている顔パーツを取り出す。続いて、ステップ３で、メール送信元となる送信側携帯電話２０の電話番号を取得する。
【０１０５】
続いて、ステップ４で、その取得した電話番号をキーにして似顔絵保存部３２を参照することで、その取得した電話番号の指す似顔絵と、その似顔絵の属性情報とを取得する。すなわち、メール送信元となる送信側携帯電話２０を所有するユーザの似顔絵の情報を取得するのである。
【０１０６】
続いて、ステップ５で、その取得した似顔絵の持つ顔パーツを、メールから取り出した顔パーツと交換することで、ディスプレイ１１に出力する似顔絵を作成し、続くステップ６で、その作成した似顔絵をディスプレイ１１に出力して処理を終了する。
【０１０７】
このようにして、受信側携帯電話３０は、送信側携帯電話２０からメール着信の発呼を着呼すると、メールに添付される顔パーツを使って、メール送信元のユーザの似顔絵を変更しつつディスプレイ１１に出力するように処理するのである。
【０１０８】
この似顔絵の出力を受けて、受信側携帯電話３０のユーザは、メール送信元のユーザの感情を知ることができるようになり、これにより、ユーザ間に高度のコミュニケーションを実現できるようになる。
【０１０９】
（ロ）似顔絵の合成機能・似顔絵を使った関係推測機能を使ってユーザ間のコミュニケーションを実現する一実施形態例
図１９に、似顔絵の合成機能を使ってユーザ間のコミュニケーションを実現するとともに、似顔絵を使った関係推測機能を使ってユーザ間のコミュニケーションを実現するという構成を採る本発明に係る携帯電話１の一実施形態例を図示する。
【０１１０】
この図に示すように、似顔絵の合成機能を使ってユーザ間のコミュニケーションを実現するとともに、似顔絵を使った関係推測機能を使ってユーザ間のコミュニケーションを実現するという構成を採る場合には、本発明の携帯電話１は、カメラ１０と、ディスプレイ１１と、カメラ１０の撮影する顔画像から上述のアルゴリズムに従って似顔絵（属性情報を含む）を作成する似顔絵作成部１００と、似顔絵作成部１００の作成した似顔絵の情報を保存する似顔絵保存部１０１と、似顔絵作成部１００の作成した似顔絵や似顔絵保存部１０１に保存される似顔絵をディスプレイ１１に出力する似顔絵出力部１０２と、２つの似顔絵を合成する処理を行う似顔絵合成部１０３と、２つの似顔絵からその似顔絵本人の間の関係を推測する処理を行う関係推測部１０４とを備える。
【０１１１】
ここで、本発明を実現すべく用意される携帯電話１の持つ機能は、具体的にコンピュータプログラムを実現されるものであり、このコンピュータプログラムは、半導体メモリなどの記録媒体に記録して提供することができる。
【０１１２】
図２０及び図２１に、似顔絵の合成機能を使ってユーザ間のコミュニケーションを実現するために似顔絵合成部１０３が実行する処理フローの一実施形態例を図示し、図２２に、似顔絵を使った関係推測機能を使ってユーザ間のコミュニケーションを実現するために関係推測部１０４が実行する処理フローの一実施形態例を図示する。
【０１１３】
次に、これらの処理フローに従って、似顔絵の合成機能を使ってユーザ間のコミュニケーションを実現する処理と、似顔絵を使った関係推測機能を使ってユーザ間のコミュニケーションを実現する処理とについて説明する。
【０１１４】
最初に、似顔絵合成部１０３の実行する処理について説明する。
【０１１５】
似顔絵合成部１０３は、ユーザから似顔絵の合成要求が発行されると、図２０及び図２１の処理フローに示すように、先ず最初に、ステップ１で、ユーザと対話することで、合成対象となる２つの似顔絵を選択する。すなわち、似顔絵作成部１００の作成した似顔絵や似顔絵保存部１０１に保存される似顔絵の中から、合成対象となる２つの似顔絵を選択するのである。
【０１１６】
続いて、ステップ２で、ユーザと対話することで、合成方法の種別を選択する。
【０１１７】
合成方法の種別として、▲１▼似顔絵Ａからは目と口を使い、似顔絵Ｂからは顔全体とその他の顔パーツを使うという形で合成方法を指定させる合成方法種別と、▲２▼顔全体／顔パーツ毎に、乱数を使ってどちらの似顔絵のものを使うのかということを指定させることで合成方法を指定させる合成方法種別と、▲３▼似顔絵Ａからは顔全体／各顔パーツの位置情報を使い、似顔絵Ｂからは顔全体／各顔パーツの形状を使うという形で合成方法を指定させる合成方法種別と、▲４▼似顔絵Ａの顔パーツと似顔絵Ｂの顔パーツの中間値を使うという形で合成方法を指定させる合成方法種別とを用意しているときには、ユーザと対話することで、それらの内のどの合成方法種別を用いるのかを選択するのである。
【０１１８】
続いて、ステップ３で、上述の▲１▼の合成方法種別が選択されたのか否かを判断して、上述の▲１▼の合成方法種別が選択されたことを判断するときは、ステップ４に進んで、ユーザと対話することで、どちらの似顔絵の顔全体を用いるのかということと、各顔パーツ毎に、どちらの似顔絵の顔パーツを用いるのかということを決定する。
【０１１９】
そして、続くステップ５で、その決定した合成方法に従って、合成対象となる２つの似顔絵を合成して、似顔絵出力部１０２を介してディスプレイ１１に出力する。
【０１２０】
一方、ステップ３で上述の▲１▼の合成方法種別が選択されたのでないことを判断するときには、ステップ６に進んで、上述の▲２▼の合成方法種別が選択されたのか否かを判断して、上述の▲２▼の合成方法種別が選択されたことを判断するときは、ステップ７に進んで、顔全体／各顔パーツ毎に、１か２を乱数的に発生させることで、どちらの似顔絵のものを用いるのかを決定する。
【０１２１】
そして、続くステップ８で、その決定した合成方法に従って、合成対象となる２つの似顔絵を合成して、似顔絵出力部１０２を介してディスプレイ１１に出力する。
【０１２２】
一方、ステップ６で上述の▲２▼の合成方法種別が選択されたのでないことを判断するときには、ステップ９に進んで、上述の▲３▼の合成方法種別が選択されたのか否かを判断して、上述の▲３▼の合成方法種別が選択されたことを判断するときは、ステップ１０に進んで、ユーザと対話することで、顔全体／各顔パーツの位置情報としてどちらの似顔絵のものを使い、顔全体／各顔パーツの形状としてどちらの似顔絵のものを使うのかということを決定する。
【０１２３】
そして、続くステップ１１で、その決定した合成方法に従って、合成対象となる２つの似顔絵を合成して、似顔絵出力部１０２を介してディスプレイ１１に出力する。
【０１２４】
一方、ステップ９で上述の▲３▼の合成方法種別が選択されたのでないことを判断するとき、すなわち、上述の▲４▼の合成方法種別が選択されたことを判断するときには、ステップ１２に進んで、顔全体／各顔パーツ毎に、２つの形状や位置について中間値を算出することで、合成する似顔絵に貼り付ける顔全体／各顔パーツを決定する。
【０１２５】
そして、続くステップ１３で、その決定した合成方法に従って、合成対象となる２つの似顔絵を合成して、似顔絵出力部１０２を介してディスプレイ１１に出力する。
【０１２６】
このようにして、似顔絵合成部１０３は、ユーザから似顔絵の合成要求が発行されると、合成対象となる２つの似顔絵を選択して、その２つの似顔絵を指定される合成方法に従って合成してディスプレイ１１に出力するように処理するのである。
【０１２７】
この機能を持つことで、本発明の携帯電話１によれば、顔画像から生成されたデータ量の削減された似顔絵を使いつつ、例えば、ＡさんとＢさんとの間に生まれる子供の顔を生成できるようなことを行えることで、ユーザ間に高度なコミュニケーションを実現できるようになる。
【０１２８】
ここで、合成対象となる似顔絵として２つ以上選択して、同様の合成処理を行うことも可能である。
【０１２９】
次に、関係推測部１０４の実行する処理について説明する。
【０１３０】
関係推測部１０４は、ユーザから二人の関係の推測要求が発行されると、図２２の処理フローに示すように、先ず最初に、ステップ１で、ユーザと対話することで、推測対象となる２つの似顔絵を選択する。すなわち、似顔絵作成部１００の作成した似顔絵や似顔絵保存部１０１に保存される似顔絵の中から、推測対象となる２つの似顔絵を選択するのである。
【０１３１】
続いて、ステップ２で、似顔絵作成部１００や似顔絵保存部１０１から、その選択した２つの似顔絵の属性情報（顔全体の位置や顔パーツの位置や顔全体の色や髪の色）を取得する。
【０１３２】
続いて、ステップ３で、その取得した似顔絵の属性情報から、それぞれの似顔絵の持つ特徴（どのような特徴を使用するのかについては予め設定されている）の値を算出して、その算出した特徴値の差分値や比率値で定義される関係推測用のパラメータの値を算出する。
【０１３３】
例えば、両目の間の距離とか、両目と口とで構成される三角形の大きさとか、両耳を結んだ直線と両目を結んだ直線との間の距離とか、目の大きさとか、目の大きさと耳の大きさの比率値とかいったような特徴値を算出して、その算出した特徴値の差分値や比率値で定義される関係推測用のパラメータの値を算出するのである。
【０１３４】
続いて、ステップ４で、その算出したパラメータ値を予め用意される類似度算出式に代入することで、推測対象として選択した２つの似顔絵の間の類似度を算出する。
【０１３５】
続いて、ステップ５で、その算出した類似度に対応付けられる関係を特定する。例えば、類似度がこの範囲に入るときには、推測対象として選択した２つの似顔絵の本人は親子レベルで似ているとか、兄弟レベルで似ているとか、従兄弟レベルで似ているとか、全く似ていないとかいうように定義されているので、それを使って、その算出した類似度に対応付けられる二人の間の関係を特定するのである。
【０１３６】
続いて、ステップ６で、その特定した関係をディスプレイ１１に出力して処理を終了する。
【０１３７】
このようにして、関係推測部１０４は、ユーザから二人の関係の推測要求が発行されると、推測対象となる２つの似顔絵を選択して、それぞれの似顔絵の持つ特徴値を算出し、それに従って関係推測用のパラメータの値を算出してそれを類似度算出式に代入することで、選択した似顔絵本人の間の関係を推定してディスプレイ１１に出力するように処理するのである。
【０１３８】
この機能を持つことで、本発明の携帯電話１によれば、顔画像から生成されたデータ量の削減された似顔絵を使い、例えば、ＡさんとＢさんとの間の関係を推測できるようなことを行えることで、ユーザ間に高度なコミュニケーションを実現できるようになる。
【０１３９】
ここで、親子レベルで似ているとかいうような表現形式で二人の関係を出力するのではなくて、算出された類似度そのものを出力するようにしてもよい。
【０１４０】
図示実施形態例に従って本発明を説明したが、本発明はこれに限定されるものではない。例えば、実施形態例では携帯電話への適用を具体例にして本発明を説明したが、本発明はその適用が携帯電話に限られるものではない。
【０１４１】
（付記１）通信機能を有するとともに、顔画像から生成された顔パーツの位置が特定されている似顔絵を取り扱う携帯端末であって、どのような表情の似顔絵を生成するのかについて示す表情指定情報を取得する手段と、上記取得した表情指定情報の指す似顔絵顔パーツを取得する手段と、処理対象の似顔絵の持つ顔パーツを上記取得した似顔絵顔パーツと交換する手段とを備えることを、特徴とする携帯端末。
【０１４２】
（付記２）通信機能を有するとともに、顔画像から生成された顔パーツの位置が特定されている似顔絵を取り扱う携帯端末であって、どのような表情の似顔絵を生成するのかについて示す表情指定情報を取得する手段と、上記取得した表情指定情報の指す似顔絵顔パーツを取得する手段と、上記取得した似顔絵顔パーツを似顔絵出力先の携帯端末に送信する手段とを備えることを、特徴とする携帯端末。
【０１４３】
（付記３）通信機能を有するとともに、顔画像から生成された顔パーツの位置が特定されている似顔絵を取り扱う携帯端末であって、他の携帯端末から送信されてくる似顔絵顔パーツを受信する手段と、処理対象の似顔絵の持つ顔パーツを上記受信した似顔絵顔パーツと交換する手段とを備えることを、特徴とする携帯端末。
【０１４４】
（付記４）顔画像から生成された顔パーツの位置が特定されている似顔絵を取り扱う携帯端末であって、合成対象となる複数の似顔絵を決定する手段と、上記決定した合成対象の似顔絵の合成方法について示す合成情報を取得する手段と、上記取得した合成情報に従って、上記決定した合成対象の似顔絵を合成する手段とを備えることを、特徴とする携帯端末。
【０１４５】
（付記５）顔画像から生成された顔パーツの位置が特定されている似顔絵を取り扱う携帯端末であって、比較対象となる複数の似顔絵を決定する手段と、上記決定した似顔絵の持つ顔パーツの位置情報に従って、比較対象となる似顔絵の間の類似度を算出する手段と、上記算出した類似度を出力するか、該類似度により特定される似顔絵本人の間の関係を得てそれを出力する手段とを備えることを、特徴とする携帯端末。
【０１４６】
（付記６）通信機能を有するとともに、顔画像から生成された顔パーツの位置が特定されている似顔絵を取り扱う携帯端末で用いられるプログラムであって、どのような表情の似顔絵を生成するのかについて示す表情指定情報を取得する処理と、上記取得した表情指定情報の指す似顔絵顔パーツを取得する処理と、処理対象の似顔絵の持つ顔パーツを上記取得した似顔絵顔パーツと交換する処理とをコンピュータに実行させるための携帯端末処理用プログラム。
【０１４７】
（付記７）通信機能を有するとともに、顔画像から生成された顔パーツの位置が特定されている似顔絵を取り扱う携帯端末で用いられるプログラムであって、どのような表情の似顔絵を生成するのかについて示す表情指定情報を取得する処理と、上記取得した表情指定情報の指す似顔絵顔パーツを取得する処理と、上記取得した似顔絵顔パーツを似顔絵出力先の携帯端末に送信する処理とをコンピュータに実行させるための携帯端末処理用プログラム。
【０１４８】
（付記８）通信機能を有するとともに、顔画像から生成された顔パーツの位置が特定されている似顔絵を取り扱う携帯端末で用いられるプログラムであって、他の携帯端末から送信されてくる似顔絵顔パーツを受信する処理と、処理対象の似顔絵の持つ顔パーツを上記受信した似顔絵顔パーツと交換する処理とをコンピュータに実行させるための携帯端末処理用プログラム。
【０１４９】
（付記９）顔画像から生成された顔パーツの位置が特定されている似顔絵を取り扱う携帯端末で用いられるプログラムであって、合成対象となる複数の似顔絵を決定する処理と、上記決定した合成対象の似顔絵の合成方法について示す合成情報を取得する処理と、上記取得した合成情報に従って、上記決定した合成対象の似顔絵を合成する処理とをコンピュータに実行させるための携帯端末処理用プログラム。
【０１５０】
（付記１０）顔画像から生成された顔パーツの位置が特定されている似顔絵を取り扱う携帯端末で用いられるプログラムであって、比較対象となる複数の似顔絵を決定する処理と、上記決定した似顔絵の持つ顔パーツの位置情報に従って、比較対象となる似顔絵の間の類似度を算出する処理と、上記算出した類似度を出力するか、該類似度により特定される似顔絵本人の間の関係を得てそれを出力する処理とをコンピュータに実行させるための携帯端末処理用プログラム。
【０１５１】
【発明の効果】
以上説明したように、本発明の携帯端末によれば、顔画像から生成されたデータ量の削減された似顔絵を使いつつ、その似顔絵の表情を変化できるようにする構成を採ることで、ユーザ間に高度なコミュニケーションを実現できるようになる。
【０１５２】
そして、本発明の携帯端末によれば、顔画像から生成されたデータ量の削減された似顔絵を使いつつ、例えば、ＡさんとＢさんとの間に生まれる子供の顔を生成できるようなことを行えることで、ユーザ間に高度なコミュニケーションを実現できるようになる。
【０１５３】
そして、本発明の携帯端末によれば、顔画像から生成されたデータ量の削減された似顔絵を使いつつ、例えば、ＡさんとＢさんとの間の関係を推測できるようなことを行えることで、ユーザ間に高度なコミュニケーションを実現できるようになる。
【図面の簡単な説明】
【図１】本発明の携帯電話の装置構成図である。
【図２】本発明の携帯電話が備える似顔絵作成機能の説明図である。
【図３】本発明の一実施形態例である。
【図４】似顔絵保存部の説明図である。
【図５】顔パーツ保存部の説明図である。
【図６】着信履歴保存部の説明図である。
【図７】表情指定情報保存部の説明図である。
【図８】受信側携帯電話の実行する処理フローの一実施形態例である。
【図９】受信側携帯電話の実行する処理フローの一実施形態例である。
【図１０】似顔絵作成処理の説明図である。
【図１１】本発明の他の実施形態例である。
【図１２】送信側携帯電話の実行する処理フローの一実施形態例である。
【図１３】受信側携帯電話の実行する処理フローの一実施形態例である。
【図１４】本発明の他の実施形態例である。
【図１５】送信側携帯電話の実行する処理フローの一実施形態例である。
【図１６】本発明の他の実施形態例である。
【図１７】送信側携帯電話の実行する処理フローの一実施形態例である。
【図１８】受信側携帯電話の実行する処理フローの一実施形態例である。
【図１９】本発明の一実施形態例である。
【図２０】似顔絵合成部の実行する処理フローの一実施形態例である。
【図２１】似顔絵合成部の実行する処理フローの一実施形態例である。
【図２２】関係推測部の実行する処理フローの一実施形態例である。
【符号の説明】
１    携帯電話
１０  カメラ
１１  ディスプレイ
２０  送信側携帯電話
２１  似顔絵作成部
２２  似顔絵送信部
２３  発呼部
２４  似顔絵保存部
２５  メール作成部
２６  メール送信部
２７  表情指定情報取得部
２８  顔パーツ保存部
２９  似顔絵変更部
３０  受信側携帯電話
３１  似顔絵受信部
３２  似顔絵保存部
３３  顔パーツ保存部
３４  着信履歴保存部
３５  表情指定情報保存部
３６  似顔絵変更部
３７  似顔絵出力部
３８  着呼部
３９  メール受信部
４０  メールサーバ
【図１】
0003911527.tif 000002
【図２】
0003911527.tif 000003
【図３】
0003911527.tif 000004
【図４】
0003911527.tif 000005
【図５】
0003911527.tif 000006
【図６】
0003911527.tif 000007
【図７】
0003911527.tif 000008
【図８】
0003911527.tif 000009
【図９】
0003911527.tif 000010
【図１０】
0003911527.tif 000011
【図１１】
0003911527.tif 000012
【図１２】
0003911527.tif 000013
【図１３】
0003911527.tif 000014
【図１４】
0003911527.tif 000015
【図１５】
0003911527.tif 000016
【図１６】
0003911527.tif 000017
【図１７】
0003911527.tif 000018
【図１８】
0003911527.tif 000019
【図１９】
0003911527.tif 000020
【図２０】
0003911527.tif 000021
【図２１】
0003911527.tif 000022
【図２２】
0003911527.tif 000023